(57)【要約】【課題】（1）医療施設、福祉介護施設、家庭内に於いて、自立が困難な体重測定対象者の体重測定補助用具と、医療処置時、介護時、家庭内での処置、介助用のイスを兼ねること、（2）補助用具が設置面積と製造価格の低減、（3）人に優しい意匠性、が課題である。【解決手段】  「本補助用具」は、幼児から大人までの体重測定を可能とする。「本補助用具」の形状は市販の車椅子体重計に比べ設置面積が小さくなる。「本補助用具」は、市販の測定器の使用するため、低価格になる。「本補助用具」は市販体重計を本補助用具から取り外すことによって符号1のイス座板が符号7の脚の上端に乗りかかり安定したイスになる。更に脱着可能な足のせが医療処置時や家庭内での健康管理と介護介助時に有効となる。「本補助用具」は木製、鋼製、合成樹脂製が可能となるので生産性に優れる。「本補助用具」は組立て分解の容易さは意匠性の良さにつながる用具を実現できる。【選択図】図1
2005278901.tif 000002
【特許請求の範囲】
【請求項１】
本出願の「イス式の体重測定補助と医療上処置・介護介助の補助用具」は、市販体重計もしくは、市販の重力センサーを用いての、主に自立が困難な測定対象者の体重を測定する補助用具である。座面の体重力を座の中心に位置する符号6の支柱を介して、市販体重計、もしくは、市販の重力センサーの中心に体重力を伝達させ体重力を測定の補助をするイス式補助用具である。測定対象者が自立しての測定方法と比較して、ぐらつきが少なく安定した読み取り測定が得られることになる。図5-3の図示のように符号6の「支柱」の長さを加減して、体重力による市販体重計の載台の沈み代より上回った数値を符号1のイス座板と符号7の脚の天端との間の空隙に図5-3に図示の用にCLを設け、体力重力の伝達を支柱のみにして市販の台はかり体重計もしくは、重力センサーに伝達させて体重測定をするイス式補助用具であることを特徴としている。
【請求項２】
本出願の「イス式の体重測定補助と医療上処置・介護介助の補助用具」は市販体重計の取り外すことによって、符号1のイス座板と符号7の脚の天端との間の空隙が無くなり、イス座板が安定し、取替えが容易に可能な、座、背板、肘かけ、足のせ等部位の形状の展開により医療施術、介助の際のイスとしての補助用具になることを特徴としている。
【請求項３】
本出願の「イス式の体重測定補助と医療上処置・介護介助の補助用具」は実用の生産に於いて、金属材、合成樹脂材、木材等の素材での製作に於いて、ハンドメイド、量産を可能としていることを特徴としている
【発明の詳細な説明】
【技術分野】
【０００１】
本発明は、主に体重測定時に於いて、測定対象者の自立が困難な肢体不自由者、幼児、被介助者の体重測定補助用具と、医療施設での医療上処置、福祉介護施設や家庭内での介護介助時のイスを兼ねる補助用具として寄与するものである。
【背景技術】
【０００２】
【特許文献１】特開平11-056530号公報、（発明の名称）体重計付椅子
【非特許文献１】株式会社のティアンドティ社製の「型式STSの外形250ｍｍ、定格1000N」
【非特許文献２】株式会社のティアンドティ社製の「型式MX-11-D24」
【非特許文献３】大和製衡手株式会社製の「車いす体重計」
【非特許文献４】大和製衡手株式会社製の「手すりつき体重計」
【発明の開示】
【発明が解決しようとする課題】
【０００３】
自立が困難な測定対象者の医療施設、福祉介護施設、家庭内に於いて、簡便な体重測定補助用具と、医療処置時、介護時、家庭内での健康管理と介助用のイスを兼ね、本補助用具が最小の設置面積と安価な製造コストと、人に優しい補助具として意匠性があることが課題である。
【課題を解決するための手段】
【０００４】
（1）本発明の「イス式補助用具」は、幼児から大人までの体重測定が可能となる。
（2）本発明の「イス式補助用具」の形状は市販のイスと同じ形状なので設置面積を小さくできる。
（3）本発明の「イス式補助用具」は市販体重計もしくは重力センサーを本補助用具から取り外すすことによってイス座板が脚の上端に乗りかかり、市販の生活用のイスと同じ安定した状態になり、更に脱着可能な足のせが医療処置時や家庭内での健康管理と介護介助時に有効となる。
（4）本発明の「イス式補助用具」は木製、鋼製、合成樹脂製が可能となるので生産性がある。
（5）本発明の「イス式補助用具」は組立て分解の容易さはとコスト低減と意匠性に優れた用具を実現できる。
【発明の効果】
【０００５】
（1）乳児、肢体不自由者の体重測定の補助用具に有効である。
（2）比較的、手狭な診療所に於いて有効である。
（3）コストの負担が少ないので病院施設の各診療科目ごとの室に配置が可能になる。
（4）家庭内介護の体重測定と介助に有効である。
（5）体重測定の補助用具と診療に於いて処置用イスと介護における介助に有効である。
（6）単純な部材の構成は生産性に優れ、素材と生産方法に多様性がある。
【発明を実施するための最良の形態】
【０００６】
本発明の「イス式体重測定補助用具」は（1）木材を主材としてのハンドメイドは家庭内や介護施設に於いて人に優しい安全な補助用具となる。（2）合成樹脂材と鋼材の素材の併用は安全と強さを持った補助用具となり、量産が可能となる。（3）目安としての体重計測であれば市販の台計り式体重計で十分であり、コストは大きく低減できる。医療施設においても体重計の精度検査を業務用としてクリアできれば使用に対応する。（4）市販の重力センサーを使った体重計測はデスク上で数値を読み取れる。しかも、市販の車椅子体重計に比べれば大きく低減になる。以下、実施例として図示により本発明の理解に供する。
【実施例１】
【０００７】
図2に図示の通り、符号1から符号9までの、本補助用具の組立て工程により、図1の斜視図の図示の通りになる。
【０００８】
体重測定補助器具としては、の測定対象者が上体健常者の場合は、背板、ひじ掛、足のせ、は無くても計測可能であるが、自立が困難な測定対象者の症状の多様性を考え、安全上、図1の斜視図のように背板、ひじ掛、足のせが、揃ったイス式が望ましい。
【０００９】
本補助装置は、市販の台式体重計や重力センサーによる体重測定の、いずれの使用の場合も本補助装置の構造、機能は同じである。
【図面の簡単な説明】
【００１０】
【図１】イス式体重測定補助用具の組立て工程後の「斜視図」
【図２】イス式体重測定補助用具の組立て工程に従った構成部材の「斜視図」
【図３】「正面、背面、平面、側面図」
【図４】「断面図」
【図５】主要な機能部位の「縦断面図」。
【図６】鏡像反転装置の「斜視図」
【図７】重力センサーと、その指示計の「斜視図」
【符号の説明】
【００１１】
1    「イス座板」
1a    支柱の上端部位の軸穴に挿入する「第1の軸」
1b    脚の上端部位の軸穴に挿入する「第2の軸」
1c  「ダボ穴」
1ｄ    足のせ、のハンガーの「フックの挿入口」
2    「背板」
2a  「背板のダボ」
3    「右側肘掛」
3a  「右側肘掛のダボ」
4    「左側肘掛」
4a  「左側肘掛のダボ」
5    「脚の上部位の接続固定板」
5a    支柱を貫通させる為の「貫通口」
6      体重力を体重計に伝鍛する「支柱」
6a    支柱の下部位に挿入する「第3の軸と座」
7    「脚」
7a    脚の上端部位の「第1の軸穴」
7b    イス座の水平調節をする「アジャスター」
8    「イス脚の下部位の接続固定と市販体重計を載せる板」
9    「足のせ」
9a   「足のせハンガーの上部位」
9b  「足のせハンガーの下部位」
9c    足のせを任意の高さ位置に固定する「ストッパー」
10    市販体重計のメーターを読む「鏡像反転装置」
10a  「第1の鏡像板」
10b  「第2の鏡像板」
11    「市販体重計もしくは市販重力センサー」
11a   「市販重力センサー指示計」
11ｂ  「市販重力センサー用4芯シールドケーブル5ｍ」
【図１】
2005278901.tif 000003
【図２】
2005278901.tif 000004
【図３】
2005278901.tif 000005
【図４】
2005278901.tif 000006
【図５】
2005278901.tif 000007
【図６】
2005278901.tif 000008
【図７】
2005278901.tif 000009